(57)【要約】      （修正有）【課題】表示機能及びミラー反射機能を有するミラー表示パネルを提供する。【解決手段】ミラー表示パネル１００及びタッチ式ミラー表示パネルは、表示機能及びミラー反射機能を有する表示器である。ミラー表示パネルは、表示パネル１１、及び表示パネルに設置されると共に第一透過軸を有する反射膜１３を備える。また、ミラー表示パネルは出光方向を有する表示光線を発射し、出光方向とは異なる外界の光線が表示パネルに照射すると、反射膜から第一透過軸方向とは異なる偏光方向の外界の光線が反射される。【選択図】図２
0003197142.tif 000002
【実用新案登録請求の範囲】
【請求項１】
表示パネルと、
前記表示パネルに設置され、且つ第一透過軸を有する反射膜を備えるミラー表示パネルであって、
ここでは、前記ミラー表示パネルは出光方向を有する表示光線を発射し、前記出光方向とは異なる外界の光線が前記表示パネルに照射すると、前記反射膜から前記第一透過軸方向とは異なる偏光方向の前記外界の光線が反射されることを特徴とするミラー表示パネル。
【請求項２】
第二透過軸を有する第一偏光板を更に備え、また前記第二透過軸及び前記第一透過軸の夾角は０度に等しいかより大きく、且つ９０度より小さいことを特徴とする、請求項１記載のミラー表示パネル。
【請求項３】
前記第一偏光板の前記第二透過軸及び前記第一透過軸の夾角は０度に等しいかより大きく、且つ４５度より小さいことを特徴とする、請求項２記載のミラー表示パネル。
【請求項４】
前記反射膜から前記外界の光線が反射された後、反射された前記外界の光線中の赤色光(R)、緑色光(G)、及び青色光(B)の反射量の比率が０．８４<Ｇ／Ｂ<１．０９及び０．８４<Ｒ／Ｂ<１．０６である場合、前記反射膜は銀色を呈し、また、前記赤色光の波長は６３０ｎｍであり、前記緑色光の波長は５５０ｎｍであり、前記青色光の波長は４５０ｎｍであることを特徴とする、請求項１記載のミラー表示パネル。
【請求項５】
前記反射膜から前記外界の光線が反射された後、反射された前記外界の光線中の赤色光(R)、緑色光(G)、及び青色光(B)の反射量の比率が１．１９<Ｇ／Ｂ<１６．８２、及び１．１９<Ｒ／Ｂ<２３．１８である場合、前記反射膜はシャンパンゴールド色を呈し、また、前記赤色光の波長は６３０ｎｍであり、前記緑色光の波長は５５０ｎｍであり、前記青色光の波長は４５０ｎｍであることを特徴とする、請求項１記載のミラー表示パネル。
【請求項６】
第一偏光板を有する表示パネルと、
前記表示パネルに設置され、且つ第一透過軸を有する反射膜と、
前記第一偏光板との間に位置される前記反射膜の上方に設置される保護層と、
前記保護層と前記表示パネルとの間に設置されるタッチ素子を備えるミラー表示パネルであって、
ここでは、前記ミラー表示パネルは出光方向を有する表示光線を発射し、前記出光方向とは異なる外界の光線が前記表示パネルに照射すると、前記反射膜により前記第一透過軸方向とは異なる偏光方向の前記外界の光線が反射されることを特徴とするミラー表示パネル。
【請求項７】
前記第一偏光板は第二透過軸を有し、且つ前記第二透過軸及び前記第一透過軸の夾角は０度に等しいかより大きく、且つ９０度より小さいことを特徴とする、請求項６記載のミラー表示パネル。
【請求項８】
前記第一偏光板の前記第二透過軸及び前記第一透過軸の夾角は０度に等しいかより大きく且つ４５度より小さいことを特徴とする、請求項７記載のミラー表示パネル。
【請求項９】
前記反射膜から前記外界の光線が反射された後、反射された前記外界の光線中の赤色光(R)、緑色光(G)、青色光(B)の反射量の比率が０．８４<Ｇ／Ｂ<１．０９及び０．８４<Ｒ／Ｂ<１．０６である場合、前記反射膜は銀色を呈し、また、前記赤色光の波長は６３０ｎｍであり、前記緑色光の波長は５５０ｎｍであり、前記青色光の波長は４５０ｎｍであることを特徴とする、請求項６記載のミラー表示パネル。
【請求項１０】
前記反射膜から前記外界の光線が反射された後、反射された前記外界の光線中の赤色光(R)、緑色光(G)、青色光(B)の反射量の比率が１．１９<Ｇ／Ｂ<１６．８２、及び１．１９<Ｒ／Ｂ<２３．１８である場合、前記反射膜はシャンパンゴールド色を呈し、また、前記赤色光の波長は６３０ｎｍであり、前記緑色光の波長は５５０ｎｍであり、前記青色光の波長は４５０ｎｍであることを特徴とする、請求項６記載のミラー表示パネル。
【考案の詳細な説明】
【技術分野】
【０００１】
本考案は、ミラー表示パネル及び一種タッチコントロール式ミラー表示パネルに関し、より詳しくは、表示機能及びミラー反射機能を兼ね備える表示パネルに関する。
【背景技術】
【０００２】
デジタルビデオ装置の普及により、表示器の技術も進歩し、応用範囲が広がり続け、多機能の表示装置へと発展してゆき、いつでも情報を受け取れたり、スマート家電として使用され日常生活のＩＴ化を促している。また、表示機能を有する鏡像装置では表示器及びミラー機能を提供し、現在の普及する各種のミラー、例えば車用補助ミラー、エレベーター用ミラー、スタンドミラー等を代替させ、或いは現在の普及する各種表示器、例えばスマートフォン、タブレット端末、テレビ等を代替させてこれら前記装置の機能を拡充させ、情報の表示と外界とのインタラクティブな連動を実現させる。
【０００３】
現在、ミラー表示パネルの応用方法は、表示領域に情報が表示されない場合はミラーを使用するが、現在これら前記ミラー表示パネルは、ミラーの準備方法は通常透明なガラスの表面に金属薄膜を鍍金されることで、外部環境から入射された光線が反射される。
【考案の概要】
【考案が解決しようとする課題】
【０００４】
しかしながら、前述した従来の技術では、金属薄膜をミラーとして使用するため金属の消光係数Ｋ（coefficient  constant）が高く、表示器に搭載されると表示器が発射する表示光線の透光率Ｔ（transmittance）が金属薄膜のＫ値に従って低下し、例えばＴ〜ｅｘｐ（−Ｋ／λ）のようになり、λは光の波長である。このため、金属薄膜で生成される表示光線の明度の損失を補うため、表示パネルの発光明度を高めて良好な表示効果を達成させる必要がある。然しながら、表示パネルの明度を高めるには、消費電力を増加させねばならない等の欠点が存在する。ほかにも、金属膜の遮蔽効果のため、金属膜下の電気機能（例えばタッチコントロール機能）が失効する等もある。故に、単純な金属反射膜では好ましい多機能なミラー反射表示器という需要に応えられない。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の実情に鑑みなされたものであって、上記課題解決のため、本考案は、ミラー表示パネルを提供することを主目的とする。すなわち、鏡像反射機能を提供する反射膜を備え、前記反射膜により表示パネルの透光率の影響を低減させ、且つ鏡像反射を提供する。
【０００７】
本考案の他の目的は、タッチコントロール式ミラー表示パネルを提供する。好ましい表示機能及びミラー反射機能を提供する以外、タッチ素子を更に具備し、タッチコントロール方式により前記表示インターフェースの操作を行う。
【課題を解決するための手段】
【０００８】
上述した課題を解決し、目的を達成するための本考案は、本考案に係るミラー表示パネルは、表示パネルと、前記表示パネルに設置され、且つ第一透過軸を有する反射膜を備える。ここでは、前記ミラー表示パネルは出光方向を有する表示光線を発射し、前記出光方向とは異なる外界の光線が前記表示パネルに照射すると、前記反射膜から前記第一透過軸方向とは異なる偏光方向の前記外界の光線が反射されることを特徴とする。
【０００９】
本考案に係るミラー表示パネルにおいて、第二透過軸を有する第一偏光板を更に備え、また前記第二透過軸及び前記第一透過軸の夾角は０度に等しいかより大きく、且つ９０度より小さい。また、好ましい夾角は０度に等しいかより大きく、且つ４５度より小さい。前記表示光線の偏光方向及び前記反射膜の透過軸方向の夾角が０度である場合、前記反射膜を透過させる前記表示光線は最大の光強度を有する。前記表示光線が前記反射膜を透過させる透過光強度は、前記反射膜の透過方向及び前記表示光線の前記偏光方向の夾角が増加するにつれて低下する。
【００１０】
本考案に係るミラー表示パネルにおいて、第三透過軸を有する第二偏光板を更に備え、且つ前記第三透過軸は第一偏光板の第二透過軸に対して垂直になる。
【００１１】
本考案に係るミラー表示パネルにおいて、前記反射膜から前記外界の光線が反射された後、反射された前記外界の光線中の赤色光(R)、緑色光(G)、及び青色光(B)の反射量の比率が０．８４<Ｇ／Ｂ<１．０９及び０．８４<Ｒ／Ｂ<１．０６である場合、前記反射膜は銀色を呈し、反射量の比率が１．１９<Ｇ／Ｂ<１６．８２、及び１．１９<Ｒ／Ｂ<２３．１８である場合、前記反射膜はシャンパンゴールド色を呈する。また、前記赤色光の波長は６３０ｎｍであり、前記緑色光の波長は５５０ｎｍであり、前記青色光の波長は４５０ｎｍである。
【００１２】
本考案に係るミラー表示パネルにおいて、前記表示パネルは液晶ディスプレイパネル、有機ＥＬディスプレイパネル、プラズマディスプレイパネル、電界放出ディスプレイパネル等である。前記ディスプレイパネルが有機ＥＬディスプレイパネル或いはプラズマディスプレイパネルである場合、前記ミラー表示パネルは前記第二偏光板を具備しない。
【００１３】
さらに、本考案に係るミラー表示パネルにおいて、使用される反射膜は全誘電体多層膜構造により形成され（非金属材質）、交互に積層される高い屈折率及び低い屈折率の薄膜を備える。反射率に適した設計になり、膜の堆積数が多い場合、前記反射膜の透光率（Ｔ）及び反射率（R）は以下の式（I）及び式（II）に示すようになる。
【数１】
0003197142.tif 000003
ここでは、ＮＬは低屈折率の薄膜の屈折率であり、ＮＨは高屈折率の薄膜の屈折率であり、ＮＳは基板の屈折率であり、Ｐは膜の堆積数である。
【００１４】
式（I）及び式（II）から分かるように、高屈折或いは低屈折の薄膜が膜層に一層増加する毎に、透光率（T）は（NL/NH）２程度低下し、反対に反射率（R）は上昇する。
【００１５】
これにより、本考案では上述の反射膜により従来の技術の金属薄膜を代替する反射膜とする。本案で使用される反射膜は透過軸及び反射軸を有し、前記透過軸と前記反射軸とは垂直になる。反射膜の作用原理は図１を参照し、外界から入射した光線は２つの偏光方向の光線Ｐ１’及び光線Ｐ２’を含み、反射膜１３の透過軸は光線Ｐ１’の偏光方向に平行になる。これにより、偏光方向が前記反射膜１３の透過軸に平行になる光線Ｐ１’が前記反射膜１３に入射すると、光線Ｐ１’は前記反射膜１３を反対側まで透過する。しかしながら、光線Ｐ２’と反射膜１３の透過軸の偏光方向とが異なる場合、光線Ｐ２’は前記反射膜１３により反射される。同様に、表示モジュールからの光線も２つの偏光方向の光線Ｐ１及び光線Ｐ２を備える。光線Ｐ１の偏光方向と反射膜１３の透過軸とが平行である場合、光線Ｐ１は前記反射膜１３を透過して観察側まで進入し、光線Ｐ２の偏光方向と反射膜１３の透過軸とが異なる場合、光線Ｐ２は反射膜１３で反射され、観察側には進入しない。このため、前記反射膜が本考案に係るミラー表示パネルに設置されると、前記表示パネルに設置されることで表示光線と前記反射膜の透過軸とが平行な偏光方向になり、前記偏光方向の表示光線は前記反射膜を前記ミラー表示パネルの観測面まで透過させる。反対に、観測面から前記ミラー表示パネルまで入射した光線は、偏光方向が前記反射膜の透過軸と異なる場合、反射されて鏡像を形成させる。これにより、観測面で表示画面が観測できるが、但しミラー効果を有する。表示パネルが液晶ディスプレイパネルである場合、表示パネルは前記表示パネルと反射膜１３との間に設置される第一偏光板を更に有し、前記第一偏光板の透過軸が反射膜１３の透過軸に平行に設置されると、前記液晶形態のミラー表示パネルは最大の透光率を有する。
【００１６】
しかも、本考案に係るタッチコントロール式ミラー表示パネルは、第一偏光板を有する表示パネル、前記表示パネルに設置されると共に第一透過軸を有する反射膜、前記反射膜の上方に設置され且つ前記反射膜は前記保護層と前記第一偏光板との間に位置される保護層、及び前記保護層と前記表示パネルとの間に設置されるタッチ素子を備える。ここでは、前記ミラー表示パネルからは出光方向を有する表示光線が発射され、前記出光方向と異なる外界の光線が前記表示パネルに照射すると、前記反射膜から前記第一透過軸方向と異なる偏光方向の前記外界の光線が反射されることを特徴とする。
【考案の効果】
【００１７】
本考案によれば、鏡像の反射率を増加させ且つ表示パネルから発射される表示光線の透光率を高め、好ましい鏡像反射機能及び表示機能を有するミラー表示パネルを提供する。
【図面の簡単な説明】
【００１８】
【図１】本考案の反射膜の作用を説明する概略図である。
【図２】本考案の第１実施形態によるミラー表示パネルを説明する概略図である。
【図３】本考案の第１実施形態によるミラー表示パネルを説明する概略図である。
【図４】本考案の第２実施形態によるタッチ式ミラー表示パネルを説明する概略図である。
【図５】本考案の第３実施形態によるタッチ式ミラー表示パネルを説明する概略図である。
【図６】本考案の第４実施形態によるタッチ式ミラー表示パネルを説明する概略図である。
【図７】本考案の好ましい実施形態によるタッチ式ミラー表示パネルを説明する概略図である。
【図８】本考案の好ましい実施形態によるタッチ式ミラー表示パネルを説明する概略図である。
【図９Ａ】本考案の好ましい実施形態によるタッチ式ミラー表示パネルを説明する作用の概略図である。
【図９Ｂ】本考案の好ましい実施形態によるタッチ式ミラー表示パネルを説明する作用の概略図である。
【図１０】本考案の第５実施形態によるタッチ式ミラー表示パネルを説明する概略図である。
【図１１】本考案の第６実施形態によるタッチ式ミラー表示パネルを説明する概略図である。
【図１２】本考案の第７実施形態によるタッチ式ミラー表示パネルを説明する概略図である。
【図１３】本考案の第８実施形態によるタッチ式ミラー表示パネルを説明する概略図である。
【図１４】本考案によるミラー表示パネルの応用を説明する概略図である。
【図１５】本考案によるミラー表示パネルの応用を説明する概略図である。
【図１６】本考案によるミラー表示パネルの応用を説明する概略図である。
【図１７】本考案によるミラー表示パネルの応用を説明する概略図である。
【考案を実施するための形態】
【００１９】
以下に図面を参照して、本考案を実施するための形態について、詳細に説明する。なお、本考案は、以下に説明する実施形態に限定されるものではない。
[第１実施形態]
【００２０】
まず、本考案の具体的な実施形態について添付図面に基づき説明する。図２は本実施形態に係るミラー表示パネル１００の概略図である。前記ミラー表示パネル１００は、表示パネル１１、前記表示パネル１１に設置される第一偏光板１２、前記表示パネル１１の下方に設置される第二偏光板１２’、及び前記第一偏光板１２に設置される反射膜１３を備える。本実施形態では、前記反射膜１３は第一透過軸を有し、偏光方向と前記反射膜１３の前記第一透過軸とが同じ光線が前記反射膜１３に入射すると、前記入射した光線は前記反射膜１３を透過する。然しながら、前記反射膜１３に入射した光線の偏光方向が前記反射膜１３の前記第一透過軸と異なる場合、一部の前記入射光線は反射膜１３から反射され、他の入射光線は前記反射膜１３を透過させる。本実施形態では、前記第一偏光板１２は第二透過軸を有し、前記第二偏光板１２’は第三透過軸を有し、前記第二透過軸は前記第三透過軸に垂直になる。
【００２１】
本実施形態では、前記第一偏光板１２の第二透過軸及び前記反射膜１３の第一透過軸の夾角が０°に等しいかより大きく、且つ９０°より小さい。好ましくは０°に等しいかより大きく、且つ４５°に等しいかより小さく、最も好ましくは０°である。すなわち、前記第一偏光板１２の前記第二透過軸は前記反射膜１３の第一透過軸に平行になるのが最も好ましい。この状況下では、前記表示パネル１１が発射する表示光線が第一偏光板１２を経由した後に第一偏光方向Ｐ１を有し、且つ前記第一偏光方向Ｐ１の表示光線が前記反射膜１３の第一透過軸に平行になると、前記第一偏光方向Ｐ１の表示光線は前記反射膜１３を透過させて観察側に進入する。前記表示光線が前記反射膜１３を透過させる透過光強度は前記反射膜１３の前記第一透過軸及び前記第一偏光板１２の前記第二透過軸の夾角が大きくなるにつれて低下し、このため上述の角度範囲内に合わせて前記夾角が設計される。前記反射膜１３の前記第一透過軸及び前記第一偏光板１２の前記第二透過軸の夾角が０度である場合、前記ミラー表示パネルは最大の明度を達成させる。
【００２２】
さらに、表示パネル１１は液晶ディスプレイパネルでもよい。前記液晶ディスプレイパネルは本分野の従来の表示パネルであり、上下の基板、配向層、液晶層、薄膜トランジスタ、バックライトモジュール等の部材を備えるが、但し本考案はこれらに制限されるわけではない。表示パネルは横向き（或いは水平）のＩＰＳ液晶（In-Plane-Switching  Liquid  Crystal、略称IPS）または垂直配向型液晶（Vertical  Alignment  Liquid  Crystal、略称VA）でもよく、特別な制限はない。
【００２３】
なお、図２に示すように、前記反射膜１３は前記第一偏光板１２に設置される。然しながら、他の実施態様では、前記反射膜１３が前記第一偏光板の上方に設置されるのみであり、前記第一偏光板１２と前記反射膜１３との間には他の層が設けられるか間隔があけられるが、特別な制限はない。
【００２４】
また、前記反射膜１３が前記ミラー表示パネル１００の最上層に設置されるため、前記反射膜１３が損壊したり劣化しやすい（図２参照）。このため、図３に示すように、保護層１４を前記反射膜１３に増設させて反射膜１３及び表示パネル１１を保護する効果を達成させる。本実施形態では、図３に示す保護層１４はガラス板で構成されるが、但し他の実施態様では前記保護層１４は本分野の何れかの従来の材料で構成され、前記ミラー表示パネル１００’の保護作用を提供する。例えば、熱強化ガラス、化学強化ガラス、挟層ガラス等の各種ガラス材料を使用し、或いはシリカゲル、樹脂、アクリル等の高分子材料を保護層に使用する。他の実施形態では、保護層１４は表面硬化層（Hard  Coating）、もしくは他の防汚層や耐擦傷性材料の層である。
【００２５】
図３に図示するミラー表示パネル１００’は、順に積層する前記表示パネル１１、前記第一偏光板１２、前記反射膜１３、及び前記保護層１４を準備する。或いは、先ず前記第一偏光板１２が前記表示パネル１１に貼付されると共に前記反射膜１３を前記保護層１４に貼付され、続いて前記第一偏光板１２が前記反射膜１３に結合され、前記ミラー表示パネル１００’が形成される。
[第２実施形態]
【００２６】
図４は本実施形態に係るミラー表示パネル２００の概略図である。前記タッチコントロール式ミラー表示パネル２００は、表示パネル１１、前記表示パネル１１に設置される第一偏光板１２、前記表示パネルの下方に設置される第二偏光板１２、前記第一偏光板１２に設置される反射膜１３、前記反射膜１３の上方に設置されるタッチ素子１５、及び前記タッチ素子１５に設置される保護層１４を備える。また、前記表示パネル１１、前記第一偏光板１２、前記第二偏光板１２’、前記反射膜１３、及び前記保護層１４は上述するようになり、故に重複する応用の部分に関しては再述を省略する。
【００２７】
本考案に係るタッチ素子１５は本考案の属する分野の何れかの従来のタッチコントロール基板の型式であり、例えばタッチコントロール薄膜や二層のタッチコントロール薄膜で構成され、前記タッチ素子１５のタッチコントロール感知技術の形態は抵抗膜式タッチ素子、表面型静電容量タッチ素子、投影型静電容量タッチ素子、電磁誘導方式タッチ素子、超音波表面弾性波方式タッチ素子、ないしは赤外線方式タッチ素子等である。或いは、他の実施態様では、前記タッチ素子１５及び前記保護層１４は単層構造タッチコントロールパネルにより代替され、すなわち、タッチ素子は保護層１４に直接製造される。保護層１４はガラス板であり、耐擦傷機能や防汚機能を有するバリヤー保護層（Barrier  Layer）でもよい。本考案に係るタッチ素子１５の設置範囲は需要に応じて一部のみ設置するように設計し、全面的に設置しなくともよい。
【００２８】
本実施形態では、前記タッチ素子１５は前記反射膜１３の上方に設置され、且つ間には間隙を有する。然しながら、他の実施態様では、前記タッチコントロールパネル１５は前記反射膜１３の上方に設置されるのみでもよく、前記タッチコントロールパネル１５と前記反射膜１３との間には他の層が介設されるか、或いは直接接触し、特別な制限はない。
[第３実施形態]
【００２９】
図５は本実施形態に係るミラー表示パネル３００の概略図である。前記タッチコントロール式ミラー表示パネル３００は、表示パネル１１、前記表示パネル１１に設置される第一偏光板１２、前記表示パネル１１の下方に設置される第二偏光板１２’、前記第一偏光板１２の上方に設置される反射膜１３、前記反射膜１３に設置されるタッチ素子１５、及び前記タッチ素子１５に設置される保護層１４を備える。前記表示パネル１１、前記第一偏光板１２、前記第二偏光板１２’、前記反射膜１３、及び前記保護層１４は上述のようになり、故に重複する同様の応用の部分については再述しない。
【００３０】
また、他の実施態様では、前記タッチ素子１５及び前記保護層１４は単層構造タッチコントロールパネルにより代替する。
【００３１】
しかしながら、本実施形態では、前記反射膜１３は前記第一偏光板１２の上方に設置され、且つ間には間隙を有する。然しながら、他の実施態様では、前記反射膜１３は前記第一偏光板１２の上方に設置されるのみでもよく、前記反射膜１３と前記第一偏光板１２との間には他の層が介設されるか、或いは直接接触し、特別な制限はない。
[第４実施形態]
【００３２】
図６は本実施形態に係るミラー表示パネルの概略図である。前記タッチコントロール式ミラー表示パネル４００は、表示パネル１１、前記表示パネル１１に設置される第一偏光板１２、前記表示パネル１１の下方に設置される第二偏光板１２’、前記第一偏光板１２の上方に設置されるタッチ素子１５、前記タッチ素子１５に設置される反射膜１３、及び前記反射膜１３に設置される保護層１４を備える。前記表示パネル１１、前記第一偏光板１２、前記第二偏光板１２’、前記反射膜１３、及び前記保護層１４は上述のようになり、故に重複する同様の応用の部分については再述しない。
【００３３】
しかしながら、本実施形態では、前記反射膜１３は前記タッチ素子１５と前記保護層１４との間に設置され、且つ前記タッチ素子１５は前記第一偏光板１２の上方に設置され、その間には間隙を有する。他の実施態様では、前記タッチ素子１５は前記第一偏光板１２の上方に設置されるのみであり、前記タッチ素子１５と前記第一偏光板１２との間には他の層が介設されるか、或いは直接接触するが、特別な制限はない。
【００３４】
上述の実施形態２~４に係るタッチコントロール式ミラー表示パネルは、これら前記タッチコントロール式ミラー表示パネルは真空接着（air-bonding）或いはフルラミネーション（full  lamination）により貼着される。図７に示すように、シーラント（sealant）５６が塗布されて真空接着に用いられ、前記タッチコントロール式ミラー表示パネル５００を完成させる。他の実施態様では、テープ（tape）により真空接着を行う。また、図８に示すように、接着層５7（molding  compound）を利用してフルラミネーションを行い、前記タッチコントロール式ミラー表示パネル５００を完成させる。
【００３５】
上述の実施形態２~４はタッチ素子を備えるタッチコントロール式ミラー表示パネルであり、前記ミラー表示パネルは同時に情報表示、ミラー反射、及びタッチコントロール機能を有する。このため、タッチコントロール機能の操作により前記ミラー表示パネル上の一部に情報が表示され、一部がミラーになり反射を行う。図９Ａ及び図９Ｂによると、ミラー表示パネル６００は操作時に表示領域Ａ及びミラー領域Ｂに区分され、バックライトユニット１６は表示パネル１１に向けて光線を発射する。バックライトユニット１６から発射される光線が第二偏光板１２’を通過すると、偏光方向が前記第二偏光板１２’の透過軸に平行になる光線Ｐ１は前記表示パネル１１に進入し、偏光方向が前記第二偏光板１２’の透過軸の方向とは異なる光線Ｐ２は前記表示領域に進入しない。次に、表示領域Ａの表示領域Ａに対応する部分の表示パネル１１から発射される表示光線Ｐ１は第一偏光板１２及び反射膜１３を透過して観察側に進入し、観察者は観察側で前記表示された情報を獲得できる。ミラー領域Ｂでは、対応する表示パネル１１から表示光線が発射されず（すなわち、画面が黒く表示される）、この状況では、偏光方向が前記反射膜１３の透過軸とは異なる外界の光線Ｐ２’が反射膜１３から反射され、この際ミラー領域Ｂはミラー反射機能のみを提供して外界の光線Ｐ２’を反射し、偏光方向が前記反射膜１３の透過軸に平行になる外界の光線Ｐ１’は前記反射膜１３を通過して表示パネルに進入する。然しながら、前記ミラー表示パネル６００は、表示領域Ａ及びミラー領域Ｂの位置、形状、及び面積が需要に応じて任意で変更できる。例えば、タッチコントロール方式で操作表示領域Ａ及びミラー領域Ｂを調整させる。
[第５実施形態]
【００３６】
図１０は本実施形態に係るミラー表示パネル7００の概略図である。前記ミラー表示パネル7００は、表示パネル１１、前記表示パネルに設置される反射膜１３、及び前記反射膜１３に設置される保護層１４を備える。本実施形態では、前記表示パネル１１は有機ＥＬパネル或いはプラズマディスプレイパネルであり、第一偏光板或いは第二偏光板の部材を具備しない。
[第６実施形態]
【００３７】
図１１は本実施形態に係るミラータッチコントロール表示器7００の概略図である。前記ミラー表示パネル7００は、表示パネル１１、前記表示パネルの上方に設置される反射膜１３、前記反射膜１３の上方に設置される保護層１４、及び前記反射膜１３と前記保護層１４との間に設置されるタッチ素子１５を備える。本実施形態では、前記表示パネル１１は有機ＥＬパネル或いはプラズマディスプレイパネルであり、第一偏光板或いは第二偏光板の部材を具備しない。
【００３８】
しかしながら、本実施形態では、前記タッチ素子１５は前記反射膜１３と前記保護層１４との間に設置され、且つ前記反射膜１３は前記表示パネル１１の上方に設置され、その間には間隙を有する。然しながら他の実施態様では、前記反射膜１３は前記表示パネル１１の上方に設置されるのみであり、前記反射膜１３と前記表示パネル１１との間には他の層が介設されるか、或いは直接接触し、特別な制限はない。
[第７実施形態]
【００３９】
図１２は本実施形態に係るミラータッチコントロール表示器7００の概略図である。前記ミラー表示パネル7００は、表示パネル１１、前記表示パネル１１の上方に設置されるタッチ素子１５、前記表示パネルに設置される反射膜１３、及び前記反射膜１３に設置される保護層１４を備える。本実施形態では、前記表示パネル１１は有機ＥＬパネル或いはプラズマディスプレイパネルであり、第一偏光板或いは第二偏光板の部材を具備しない。
【００４０】
しかしながら、本実施形態では、前記反射膜１３は前記タッチ素子１５と前記保護層１４との間に設置され、且つ前記タッチ素子１５は前記表示パネル１１の上方に設置され、その間には間隙を有する。他の実施態様では、前記タッチ素子１５は前記表示パネルの上方に設置されるのみであり、前記タッチ素子１５と前記表示パネル１１との間には他の層が介設され、或いは直接接触し、特別な制限はない。
[第８実施形態]
【００４１】
本実施形態では接着層５7（molding  compound）を利用して実施形態６で準備されるミラータッチコントロール表示器のフルラミネーションを行い、前記タッチコントロール式ミラー表示パネル7００を完成させるのを例にする。しかしながら、本考案ではミラー表示パネル及びミラータッチコントロール表示器の貼着方式に特別な制限はなく、真空接着（air-bonding）或いはフルラミネーション（full  lamination）により貼着を行う。
【００４２】
このほか、本考案の好ましい実施形態において、反射膜内部の各層ＮＬ（低屈折率薄膜の屈折率）及びＮＨ（高屈折率薄膜の屈折率）を調整することで異なる波長の屈折率の調整を行い、反射膜から外界の光線が反射された後に異なる波長の反射量を得て、これにより反射光線を調整して異なる色あいを呈する。
【００４３】
本考案の好ましい実施形態において、反射膜から外界の光線が反射された後、反射光は銀色を呈し、この反射光の反射量は赤色光（R）の波長が６３０ｎｍであり、緑色光（G）の波長が５５０ｎｍであり、青色光（B）波長が４５０ｎｍである場合、赤色光（R）、緑色光（G）、青色光（B）の反射量の比率が０．８４<Ｇ／Ｂ<１．０９、０．８４<Ｒ／Ｂ<１．０６であることを示す。
【００４４】
他の実施形態では、反射膜から外界の光線が反射された後、反射光はシャンパンゴールド色を呈し、反射光の反射量は赤色光（R）の波長が６３０ｎｍであり、緑色光（G）の波長が５５０ｎｍであり、青色光（B）の波長が４５０ｎｍである場合、赤色光（R）、緑色光（G）、青色光（B）の反射量の比率が１．１９<Ｇ／Ｂ<１６．８２、１．０９<Ｒ／Ｂ<２３．１８であることを示す。
【００４５】
本考案に係るミラー表示パネルは同時に情報表示、及びミラー反射機能を有し、タッチコントロール機能を更に備える。このため、応用範囲は相当に広く、表示パネルを具備するあらゆる装置、例えばノートパソコン、ビデオカメラ、カメラ、音楽プレーヤー、ＧＰＳ装置、テレビ等に応用され、またミラーを具備するあらゆる設備に応用される。例えば、図１４ないし図１７に示すように、本考案のミラー表示パネル８００は、スタンドミラー、情報広告壁、車用バックミラー（８００、８００’）、及びエレベーター内に装設されるミラーに応用され、ミラーによる反射機能を提供する。同時に情報を表示させ、観察者はタッチコントロール機能を利用してこれら前記ミラー表示パネルを操作できる。
【００４６】
以上、本考案はこのような実施形態に限定されるものではなく、考案の趣旨を逸脱しない範囲において、種々の形態で実施することができる。
【符号の説明】
【００４７】
１１  表示パネル
１２  第一偏光板
１２‘  第二偏光板
１３  反射膜
１４  保護層
１５  タッチ素子
５６  シーラント
５７  接着層
１００  ミラー表示パネル
１００‘  ミラー表示パネル
２００  ミラー表示パネル
２００‘  ミラー表示パネル
４００  ミラー表示パネル
５００  ミラー表示パネル
６００  ミラー表示パネル
７００  ミラー表示パネル
８００  ミラー表示パネル
８００‘  ミラー表示パネル
【図１】
0003197142.tif 000004
【図２】
0003197142.tif 000005
【図３】
0003197142.tif 000006
【図４】
0003197142.tif 000007
【図５】
0003197142.tif 000008
【図６】
0003197142.tif 000009
【図７】
0003197142.tif 000010
【図８】
0003197142.tif 000011
【図９Ａ】
0003197142.tif 000012
【図９Ｂ】
0003197142.tif 000013
【図１０】
0003197142.tif 000014
【図１１】
0003197142.tif 000015
【図１２】
0003197142.tif 000016
【図１３】
0003197142.tif 000017
【図１４】
0003197142.tif 000018
【図１５】
0003197142.tif 000019
【図１６】
0003197142.tif 000020
【図１７】
0003197142.tif 000021